(57)【要約】【課題】光ディスク装置に電源が供給されなくても、道具を用いずにトレイを手動でイジェクトすることができる光ディスク装置を提供する。【解決手段】筐体４０と、該筐体４０内に配置され、ディスクをローディング開始位置と記録再生可能なローディング完了位置との間で引込み又は排出移動を行うトレイ１と、筐体４０の前面に設けられたフロントパネル２２に配置され、トレイ１の引込み又は排出移動の開始を指示するイジェクトボタン２１と、筐体４０内に設けられ、イジェクトボタン２１が所定以上押し込まれた際にイジェクトボタン２１の内面部の押し込みによって移動するイジェクトレバー３２、３３と、トレイ１とイジェクトレバー３２、３３に連結され、イジェクトレバー３２、３３の移動により、トレイ１をローディング開始位置に排出するトレイ排出レバー３７とを具備することを特徴とする。【選択図】      図７
2004152376.tif 000002
【特許請求の範囲】
【請求項１】
筐体と、
該筐体内に配置され、ディスクを載置するトレイと、
前記筐体の前面に設けられたフロントパネルに配置され、前記トレイの引込み又は排出移動の開始を指示するイジェクトボタンとを備え、
このイジェクトボタンが所定以上押し込まれた際、前記トレイを強制的に前記筐体外に排出させることを特徴とする光ディスク装置。
【請求項２】
筐体と、
該筐体内に配置され、ディスクをローディング開始位置と記録再生可能なローディング完了位置との間で引込み又は排出移動を行うトレイと、
前記筐体の前面に設けられたフロントパネルに配置され、前記トレイの引込み又は排出移動の開始を指示するイジェクトボタンと、
前記筐体内に設けられ、前記イジェクトボタンが所定以上押し込まれた際に前記イジェクトボタンの内面部の押し込みによって移動するイジェクトレバーと、前記トレイと前記イジェクトレバーに連結され、前記イジェクトレバーの移動により、前記トレイを前記ローディング開始位置に排出するトレイ排出レバーとを具備することを特徴とする光ディスク装置。
【請求項３】
前記イジェクトボタンは、前記イジェクトボタンの内面部の一端から突出された突出部が形成され、前記イジェクトボタンが所定量押し込まれた場合は前記突出部が前記筐体内に設けられたイジェクトスイッチと電気的に接続され、前記トレイを排出することを特徴とする請求項１または２のいずれかに記載の光ディスク装置。
【請求項４】
前記トレイ排出レバーは、前記イジェクトレバーと噛合された歯車と噛合い、前記イジェクトレバーの移動に伴って前記筐体外に前記トレイを排出させることを特徴とする請求項２記載の光ディスク装置。
【請求項５】
電源が供給されている場合、前記イジェクトボタンが所定量押し込まれ、前記イジェクトスイッチと電気的に接続され、前記電源が供給されていない場合、前記イジェクトボタンが所定以上押し込まれ、前記イジェクトレバーを押し込むことで前記トレイを前記筐体外に排出することを特徴とする請求項２記載の光ディスク装置。
【発明の詳細な説明】
【０００１】
【発明の属する技術分野】
この発明は、ＣＤ（Ｃｏｍｐａｃｔ  Ｄｉｓｃ）、ＣＤ（Ｃｏｍｐａｃｔ  Ｄｉｓｃ）−Ｒ（Ｒｅｃｏｒｄａｂｌｅ）／ＲＷ（ＲｅＷｒｉｔａｂｌｅ）、ＤＶＤ（Ｄｉｇｉｔａｌ  Ｖｅｒｓａｔｉｌｅ  Ｄｉｓｃ）−ＲＯＭ（Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｃ）−ＲＡＭ（Ｒａｎｄｏｍ  Ａｃｃｅｓｓ  Ｍｅｍｏｒｙ）等の光ディスクに対して、情報を記録又は再生するための光ディスク装置に関し、特に、イジェクト機構を持った光ディスク装置に関する。
【０００２】
【従来の技術】
ＣＤ−ＲＯＭ、ＤＶＤ−ＲＯＭ等の光ディスクに対してデータの記録再生を行う光ディスク装置では、光ディスクの装着、排出時にドライブメカ部に無理な力を加えないようにしたモータ、複数の歯車類からなるローディング機構を備えており、例えば光ディスクが載置されたトレイを所定の位置まで挿入することにより、記録再生可能な位置まで自動的にトレイが移動されるようになっている。また、イジェクトボタンの押下により自動的に所定の位置までトレイが排出されるようにもなっている。
【０００３】
ところで、機器の故障等、種々の状況下においては、上記のような自動動作は行われない。そこで、光ディスク装置内に装着した光ディスクの記録データがダメージを受ける等の事態の発生を防止するために、光ディスクを光ディスク装置から強制的に取り出すため、光ディスク装置のフロントパネル等に通常のイジェクトスイッチの他に緊急用イジェク操作用の穴（ピンホール）が装備されている。そして、ユーザはこの緊急用イジェクト操作用のピンホールにピンやクリップのような細棒を差し込んで、ラックと噛み合っている歯車を移動させ、噛合を離脱させることができ、緊急イジェクトされるように構成されている。（例えば、特許文献１参照）。
【０００４】
【特許文献１】
特開平６−１８０９１８号公報（第２−３頁、第１図）
【０００５】
【発明が解決しようとする課題】
しかしながら、上記した従来技術においては、ピン等がない場合は電源が供給されていない光ディスク装置のトレイをイジェクトできなかったため、光ディスク装置内の光ディスクを取り出すためには光ディスク装置を接続しているパーソナルコンピュータ（ＰＣ）を起動する必要があり、これは時間のロスとなっていた。
【０００６】
また、緊急用イジェクト操作用のピンホールは通常フロントパネルに設けられており、このピンホールから埃や空気が流入して光ディスク装置のデータの記録再生動作に不具合を生じさせていた。
【０００７】
本発明はこのような課題を解決するためのもので、光ディスク装置に電源が供給されなくても、道具を用いずにトレイを手動でイジェクトすることができる光ディスク装置を実現することを目的とする。
【０００８】
【課題を解決するための手段】
この発明は、上記の目的を達成するために、筐体と、該筐体内に配置され、ディスクを載置するトレイと、前記筐体の前面に設けられたフロントパネルに配置され、前記トレイの引込み又は排出移動の開始を指示するイジェクトボタンとを備え、
【０００９】
このイジェクトボタンが所定以上押し込まれた際、前記トレイを強制的に前記筐体外に排出させることを特徴とする。
上記の構成により、電源が供給されていない状態でも光ディスク装置のイジェクトボタンを押し込むと、トレイのロックが外れて道具を用いずにイジェクトできるので、光ディスク装置内の光ディスクを取り出すために光ディスクと接続されているパーソナルコンピュータをわざわざ起動する必要がなくなり時間のロスを少なくすることができる。
【００１０】
【発明の実施の形態】
以下、本発明を実施する場合の形態について図面に基づき説明する。
第１図は、光ディスク装置の外観を示す斜視図であり、第２図はトレイが引き出された状態を示す斜視図である。
第１図及び第２図において、光ディスク装置２０は、筐体４０と、該筐体４０に出し入れ可能に取り付けられたトレイ１とを備えている。そして、ユーザがこのトレイ１上に光ディスク１０を載せて、フロントパネル２２に設けられたイジェクトボタン２１を押下する、若しくはトレイ１を筐体４０の内側方向へ押し出すと、トレイ１は筐体４０内に自動的に挿入され、光ディスク１０が筐体４０内のターンテーブル上にクランプされるようになっている。
【００１１】
光ディスク１０は、ポリメチルメタクリレートやポリカーボネイト等の透明な合成樹脂よりなる円盤状のディスク基板と、このディスク基板の主面部に形成された信号記録層とを有して構成されている。この光ディスクは、信号記録層に光ビームを集光して照射し、或いは、この光ビームの照射を行うことにより、該信号記録層に対する情報信号の書込み又は読出しが行えるように構成されている。
【００１２】
第３図は、トレイが排出された状態における光ディスク装置の内部機構を示した斜視図であり、第４図はトレイが収納された状態における光ディスク装置の内部機構を示した斜視図である。
【００１３】
第３図及び第４図において、光ディスク装置２０は光ディスク１０が搭載されるトレイ１をドライブ本体部としてのメインシャーシ２に対して出し入れ自在に構成してなる。即ち、トレイ１の両側面にはガイド突起１ａが設けられ、これらのガイド突起１ａはメインシャーシ２に設けられた図示しない水平ガイド部に嵌め込まれ、これによりトレイ１はディスク面と平行に直線方向に案内され、第３図に示すトレイ排出位置と第２図に示すトレイ収納位置との間で搬送される。
【００１４】
メインシャーシ２内には、第５図に示すように、ディスク記録再生機構が搭載されたメカシャーシ３を複数の防振部材４を介して支持して構成されるピックアップユニット５が配置されている。メカシャーシ３には、スピンドルモータ１３、光ピックアップ１４及び光ピックアップ送り機構等が搭載されている。スピンドルモータ１３のモータ軸には、光ディスク１０を第３図に示すクランパー１２との間に挟持して駆動するためのターンテーブル１６が取り付けられている。
【００１５】
また、第５図、第６図に示すように、ピックアップユニット５のトレイ挿入方向において奥側の両側面には回動軸６が突設されており、これらの回動軸６はメインシャーシ２の軸保持部７に回動自在に保持されている。また、ピックアップユニット５のトレイ挿入方向手前側の面には回動案内軸８が突設されている。この回動案内軸８は、メインシャーシ２内に設けられたメカユニット回動機構２７の周面に形成された案内溝９ａに保持されている。したがって、ピックアップユニット５の回動案内軸８はメカユニット回動機構２７の回転により案内溝９ａに沿って上下方向に案内されることで、ピックアップユニット５が軸保持部７を支点として傾動し、ディスククランプ動作とクランプ解除動作を行うように構成されている。
【００１６】
また、第３図及び第４図に示すように、メインシャーシ２にはクランパホルダ１１を介してクランパ１２が保持されている。さらに、メインシャーシ２内にはトレイローディング及びディスククランプのための機構系が設けられている。
【００１７】
さらに、第５図に示したピックアップユニット５は、メカシャーシ３をこのピックアップユニット５の基体４１に支持し、複数の防振部材４を介して基体４１に支持されメインシャーシ２に収納される。
【００１８】
第７図は、本発明に係る一実施形態の光ディスク装置のイジェクトロック機構を示した構成図及び動作を説明するための図であり、第１図乃至第６図に示した如きＣＤ−ＲＯＭ、ＤＶＤ−ＲＯＭ等の光ディスクを記録再生する光ディスク装置に装備されるローディング機構に適用される。このイジェクトロック機構は、光ディスク装置２０の筐体内に機械的に配置され、フロントパネル２２に通常のイジェクトボタン２１と緊急用のピンホール２３が設けられ、特に、電源が供給されていない光ディスク装置２０に対して、完全に閉じている状態のトレイ１を手動でイジェクトするために、ピンホール２３を通してピン３０で強制イジェクトレバー３２、３３を押してロックを解除する。それに加えて、イジェクトボタン２１を通常よりも深く押し込むことによっても強制イジェクトレバー３２が押されてロックが外れイジェクトされる機構を用いている点が特徴である。
【００１９】
イジェクトロック機構の構成について説明する。
イジェクトボタン２１の押圧部２１ａはフロントパネル２２の外側面よりも外方へ突出した姿勢を維持している。イジェクトボタン２１の内面部２１ｂの一端から筐体内部方向へ向けて突出された突出部２９が形成され、イジェクトボタン２１が内部方向へ押し込まれたときに突出部２９が電気的にイジェクトするためのイジェクトスイッチ３４と接触され、通常通り、光ディスク１０が光ディスク装置２０から排出されるようになっている。
【００２０】
また、緊急用のイジェクト、即ち、機器の故障等により光ディスク１０を光ディスク装置２０から強制的に取り出すための操作では、イジェクトボタン２１をより深く押し込むことで、イジェクトボタン２１の内面部２１ｂの一端が強制イジェクトレバー３２に当たり、強制イジェクトレバー３２が押されることでロックを解除する。
【００２１】
強制イジェクトレバー３２は、強制イジュクトレバー３３に形成されたカム４１と係合するための開口部４３が形成され、イジェクトボタン２１の押圧によって支軸３９を中心に矢印Ａ方向に回動される。この強制イジェクトレバー３２の回動により、カム４１が開口部４３内を移動し、強制イジェクトレバー３３はその動作に連動して矢印Ｂ方向に移動される。強制イジェクトレバー３３の移動により、強制イジェクトレバー３３の側面部に形成された側面ギア３３ａと接触している歯車３５が矢印Ｃ方向に回転する。なお、強制イジェクトレバー３３の側面ギア３３ａ及び後述するトレイ排出用レバー３７の両側面部に形成されたギア３７ａ、３７ｂのうちギア３７ｂは、歯車３５とそれぞれ噛合うように形成されている。よって、この歯車３５の回転により、歯車３５と噛合うように形成されたトレイ排出用レバー３７は矢印Ｄ方向に移動する。トレイ排出用レバー３７のギア３７ｂは、トレイ１のガイド突起１ａ（第３図参照）の内側にあるラックギア（不図示）と噛合っており、トレイ排出用レバー３７が矢印Ｄ方向に移動されると、それに伴いラックギアも移動され、結果的にトレイ１が光ディスク装置の外方へ排出されるようになっている。このラックギアはトレイ１と連結されており、トレイ１の移動と同じ動きをする。なお、強制イジェクトレバー３３とトレイ排出用レバー３７は高さ方向が互いに異なるように配置されており、その為、歯車３５が円筒状に形成されている。よって、歯車３５に噛合う位置が互いに異なって強制イジェクトレバー３３とトレイ排出用レバー３７がぶつからないように構成されている。また、軽く押した程度では強制イジェクトされないように、イジェクトボタン２１の内面部側にバネによるストッパー３１を配置してある。
【００２２】
また、緊急用のイジェクトは他の方法でも可能である。すなわち、ピンホール２３から先の細い線材等のピン３０を挿入し、強制イジェクトレバー３２の一端部３２ａに当たった後、さらに押して強制イジェクトレバー３２を動かしてロックを解除することができる。イジェクトロックの解除は、イジェクトボタン２１を深く押したときと同様に、ピン３０の押圧によって強制イジェクトレバー３２が支軸３９を中心に矢印Ａ方向に回動され、この強制イジェクトレバー３２の回動により、カム４１が開口部４３内を移動し、強制イジェクトレバー３３はその動作に連動して矢印Ｂ方向に移動される。そして、強制イジェクトレバー３３の移動により、強制イジェクトレバー３３の側面部３７ａと接触している歯車３５が矢印Ｃ方向に回転され、さらに、この歯車３５の回転によって、歯車３５と噛合うように形成されたトレイ排出用レバー３７は矢印Ｄ方向に移動される。このトレイ排出用レバー３７が矢印Ｄ方向に移動されると、それに伴いトレイ１のガイド突起１ａ（第３図参照）の内側にあるラックギアも移動され、結果的にトレイ１が光ディスク装置の外方へ排出されるようになっている。
【００２３】
このように、通電時にはイジェクトボタン２１を軽く押すことによりイジェクトスイッチ３４が押されて電気的にイジェクトするが、非通電時にはイジェクトボタン２１を所定以上押し込むことにより手動でイジェクトできるよう構成されている。
【００２４】
なお、本発明は、上記実施形態に限定されるものではなく、実施段階では、その要旨を逸脱しない範囲で種々に変形することが可能である。例えば、光ディスク装置２０のフロントパネル２２に形成されたピンホール２３は、小径の穴であり、この穴を介して埃やゴミが光ディスク装置２０の内部に侵入して光学系部品に不具合をもたらす。そのため、本発明のイジェクトロック機構を用いれば、このピンホール２３は不用であり、埃やゴミの侵入を気にする必要がないことから、光ディスク装置２０のフロントパネル２２に設けられたピンホール２３を形成しないように構成してもよい。
【００２５】
【発明の効果】
以上のように本発明によれば、電源が光ディスク装置に供給されていない状態でも、イジェクトボタンを所定以上押し込むことで、トレイのロックが外れて道具を用いずにイジェクトすることができるので、ピン等の道具がない場合に光ディスク装置に装填された光ディスクを取り出すために、光ディスク装置が接続されているパーソナルコンピュータを起動する必要がなくなり、時間のロスをなくすことができる。
【００２６】
また、上記のようにイジェクトボタンを所定以上押し込むことで、イジェクトのロックを解除することができるため、フロントパネルに設けられた緊急イジェクト用のピンホールを無くことができ、埃やゴミの機内への侵入の防止を図ることができるとともに、ピンホールをフロントパネルに空ける必要がないので、コストを削減することができる。
【００２７】
さらに、強制イジェクトレバーは従来品と比較しても部品点数を増やさなくてもよいので、コストの増加を抑えることができる。
【図面の簡単な説明】
【図１】光ディスク装置の外観を示す斜視図である。
【図２】光ディスク装置からトレイが引き出された状態を示す斜視図である。
【図３】トレイが排出された状態における光ディスク装置の内部機構を示した斜視図である。
【図４】トレイが収納された状態における光ディスク装置の内部機構を示した斜視図である。
【図５】図１の光ディスク装置のピックアップユニットの構成を示す分解斜視図である。
【図６】図５のピックアップユニットを側面から示した図である。
【図７】本発明に係る一実施形態の光ディスク装置のイジェクトロック機構を示した構成図である。
【符号の説明】
１    トレイ
１ａ    ガイド突起
２    メインシャーシ
３    メカシャーシ
４    防振部材
５    ピックアップユニット
６    回動軸
７    軸保持部
８    回動案内軸
９ａ    案内溝
１１    クランパホルダ
１２    クランパ
１３    スピンドルモータ
１４    光ピックアップ
１６    ターンテーブル
２１    イジェクトボタン
２１ａ    押圧部
２１ｂ    内面部
２２    フロントパネル
２３    ピンホール
２９    突出部
３１    バネ
３２、３３    強制イジェクトレバー
３３ａ    側面ギア
３４    イジェクトスイッチ
３５    歯車
３７    トレイ排出用レバー
３７ａ、３７ｂ    ギア
３９    支軸
４１    カム
４３    開口部
【図１】
2004152376.tif 000003
【図２】
2004152376.tif 000004
【図３】
2004152376.tif 000005
【図４】
2004152376.tif 000006
【図５】
2004152376.tif 000007
【図６】
2004152376.tif 000008
【図７】
2004152376.tif 000009